(57)【要約】【課題】水道配管の水圧又は漏水を検査するために既設の屋内配管と本管との間に連結される水圧テスタ用連結管を取り付ける際、屋内配管と本管とに使用されている２種の規格ネジがいずれのものであっても同一の連結管を用いて取り付けることができる水圧テスタ用連結管を提供する。【解決手段】水道配管の水圧又は漏水を検査するために既設の屋内配管１１と本管１２との間に連結される水圧テスタ用連結管１において、既設の屋内配管１１と本管１２とに使用される２種の規格ネジを有するナット６のいずれにも螺合することができるように、連結管１の両端のネジ部に２種の規格ネジを重ねて形成した。【選択図】図１
2004060202.tif 000002
【特許請求の範囲】
【請求項１】
水道配管の水圧又は漏水を検査するために既設の屋内配管と本管との間に連結される水圧テスタ用連結管において、前記既設の屋内配管と本管とに使用される２種の規格ネジを有するナットのいずれにも螺合することができるように、前記連結管の両端のネジ部に前記２種の規格ネジを重ねて形成したことを特徴とする水圧テスタ用連結管。
【請求項２】
前記連結管の両端のネジ部に前記２種の規格ネジに応じたネジピッチを有する雄ネジを重ねて形成したことを特徴とする請求項１記載の水圧テスタ用連結管。
【発明の詳細な説明】
【０００１】
【発明の属する技術分野】
本発明は、水道配管の水圧又は漏水を検査するために屋内配管と本管との間に取り付ける水圧テスタ用連結管に関する。
【０００２】
【従来の技術】
屋内に水道配管を敷設した後、水道メータを取り付ける前に、屋内配管と本管との間に水圧テスタを設けることによって配管内の水圧又は漏水等を検査する必要がある。
【０００３】
この水圧テスタ１０は、図３に示すように、屋内配管１１と本管１２との間に連結管１３を設け、該連結管１３の途中に立管１４を立設し、立管１４の上端ネジ部１４ａに圧力計１５の下端ネジ部１５ａを連結用ナット１６で接続すると共に、連結用ナット１６の途中のネジ穴１６ａに水圧ポンプ接続用バルブ２１のネジ部２１ａを結合して成るものである。
【０００４】
そして、連結管１３の両端に形成された雄ネジ１３ａ、１３ｂを屋内配管１１のネジ部１１ａと本管１２のネジ部１２ａとにナット１７、１７で結合した状態にし、上記の水圧ポンプ接続用バルブ２１のネジ部２１ｂに不図示の水圧ポンプを接続して圧力をかけることにより、配管内の水圧又は漏水等を検査する。
【０００５】
ところが、水道配管のネジ規格は主に２種類あり（所謂、「Ｇネジ」と「金門ネジ」）、夫々のネジのピッチ等が異なるため、水圧テスタの連結管も２種用意し、夫々のネジに対応して連結管を取り替えるという面倒な作業を必要としていた。また、２種の連結管を用意する必要があるという経費上の無駄も生じていた。
【０００６】
さらに、図４に示す水圧テスタ１０において、連結管１８の途中に立設された立管１４と圧力計１５と連結用ナット１６と水圧ポンプ接続用バルブ２１とを有することは上記の構成と同様であるが、連結管１８を短尺として、その両端のネジ部１８ａ、１８ｂにユニオンナット１９、１９によって結合した接続管２０、２０を介して屋内配管１１と本管１２との間に結合してあり、２種の規格を有する水道配管のネジ種に応じて、連結管１８はそのままで、両側の接続管２０、２０を交換することによって対応するようにしている。
【０００７】
ところが、この場合においても、２種のネジ規格を有する接続管を用意しておき、水道配管のネジ種に応じて接続管を取り替えるという非能率的な作業を必要とし、また２種の接続管を用意しておく必要があるという経費上の無駄も生じていた。
【０００８】
【発明が解決しようとする課題】
本発明は、上記の課題を解決するためになされたもので、水道配管の水圧又は漏水を検査するために既設の屋内配管と本管との間に連結される水圧テスタ用連結管を取り付ける際、屋内配管と本管とに使用されている２種の規格ネジがいずれのものであっても同一の連結管を用いて取り付けることができる水圧テスタ用連結管を提供することを目的とする。
【０００９】
【課題を解決するための手段】
上記の目的を達成するために、本発明の水圧テスタ用連結管は、水道配管の水圧又は漏水を検査するために既設の屋内配管と本管との間に連結される水圧テスタ用連結管において、前記既設の屋内配管と本管とに使用される２種の規格ネジを有するナットのいずれにも螺合することができるように、前記連結管の両端のネジ部に前記２種の規格ネジを重ねて形成したことを特徴とする。
【００１０】
さらに、本発明の請求項２の水圧テスタ用連結管は、請求項１において、前記連結管の両端のネジ部に前記２種の規格ネジに応じたネジピッチを有する雄ネジを重ねて形成したことを特徴とする。
【００１１】
【発明の実施の形態】
以下、本発明の実施例について、図面を参照しながら説明する。
【００１２】
本発明による水圧テスタ用連結管は、図１に示すように、水道配管の水圧又は漏水を検査するために既設の屋内配管１１と本管１２との間に連結される水圧テスタ用連結管１において、既設の屋内配管１１と本管１２とに使用される２種の規格ネジを有するナット６のいずれの雌ネジにも螺合することができるように、連結管１の両端のネジ部２ａ、２ｂに２種の規格ネジを重ねて形成したものである。
【００１３】
このような連結管１の構成について詳細に述べると、図１に示すように、本実施例の水圧テスタ３は、屋内配管１１と本管１２との間に連結される連結管１を有し、この連結管１の途中に立設された立管４の上端ネジ４ａに連結用ナット１６を介して圧力計１５の下端ネジ１５ａを接続すると共に、連結用ナット１６の側部のネジ孔１６ａに水圧ポンプ接続用バルブ２１のネジ部２１ａを結合し、該水圧ポンプ接続用バルブ２１の他端のネジ部２１ｂに不図示の水圧ポンプを接続するようにしている。
【００１４】
また、連結管１の両端のネジ部２ａ、２ｂを屋内配管１１のネジ部１１ａと本管１２のネジ部１２ａとにナット６、６で結合する構成としている。
【００１５】
ここで、本実施例においては、屋内配管１１と本管１２とに結合されたナット６の雌ネジの規格が、２種の規格（所謂、「Ｇネジ」と「金門ネジ」）のいずれであっても螺合するために、連結管１の両端のネジ部２ａ、２ｂに２種の規格による雄ネジ７ａ、７ｂを重ねて形成してある。
【００１６】
即ち、図２に示すように、連結管１の両端のネジ部２ａ、２ｂには、大きいピッチの規格ネジ７ａが形成され、さらにそれと重複した形で小さいピッチの他の規格ネジ７ｂが形成されている。このように、連結管１の両端の夫々に２種の雄ネジを形成するには、大きいピッチの雄ネジ７ａを形成した後に、その外周に重複した状態で小さいピッチの雄ネジ７ｂを形成するという方法を用いるとよい。
【００１７】
上記のように構成された水圧テスタ用連結管１によれば、その両端のネジ部２ａ、２ｂに２種の規格ネジに応じたネジピッチを有する雄ネジ７ａ、７ｂを重ねて形成したことによって、既設の屋内配管１１と本管１２とに使用される２種の規格ネジを有するナットのいずれにも螺合することが可能となる。
【００１８】
【発明の効果】
以上説明したように、本発明の水圧テスタ用連結管は、既設の屋内配管と本管とに使用される２種の規格ネジを有するナットのいずれにも螺合することができるように、連結管の両端のネジ部に２種の規格ネジを重ねて形成したことによって、水圧テスタ用連結管を１個有するだけで、規格ネジごとの選択取付の手間が必要となり、現場において必要とされる部品点数が削減され、能率的な工事が可能となり、かつ経済的な効果をも発揮することが可能となる。
【図面の簡単な説明】
【図１】本発明による水圧テスタ用連結管の施工状況を示す正面図である。
【図２】本発明による水圧テスタ用連結管のネジ部の拡大図である。
【図３】従来の技術による水圧テスタ用連結管の正面図である。
【図４】従来の他の技術による水圧テスタ用連結管の正面図である。
【符号の説明】
１…水圧テスタ用連結管
２ａ、２ｂ…ネジ部
３…水圧テスタ
４…立管
４ａ…ネジ部
５…圧力計
５ａ…ネジ部
６…ナット
７ａ…大きいピッチの雄ネジ
７ｂ…小さいピッチの雄ネジ
１１…屋内配管
１１ａ…ネジ部
１２…本管
１２ａ…ネジ部
【図１】
2004060202.tif 000003
【図２】
2004060202.tif 000004
【図３】
2004060202.tif 000005
【図４】
2004060202.tif 000006